(57)【特許請求の範囲】
【請求項１】
共同住宅における配管貫通部の配置構造であって、
柱及び梁によって囲まれる躯体でない壁領域が複数存在し、
前記壁領域には、壁ユニットとサッシ窓とが設けられ、
前記配管貫通部は、前記壁ユニット内に設けられ、
前記壁ユニットの室内側に、スラブ床と天井材との空間及びスラブ床と床材との間の空間に通じる配管配線スペースを形成する配管配線スペース壁材が取り付けられ、前記配管配線スペースが、前記配管貫通部、スラブ床と天井材との空間、及び、スラブ床と床材との間の空間を互いに連通する連通空間となることを特徴とする配管貫通部の配置構造。
【請求項２】
前記壁領域は、前記共同住宅の外部と接する外壁の領域であることを特徴とする請求項１に記載の配管貫通部の配置構造。
【請求項３】
前記壁ユニットは、複数、かつ、同一形状であり、
各壁ユニットの幅の総計は、前記サッシ窓の幅の整数倍であることを特徴とする請求項２に記載の配管貫通部の配置構造。
【請求項４】
前記壁ユニットの一側面は、室内壁の窓側側面、柱、あるいは隣接する壁ユニットの側面に沿って取り付けられることを特徴とする請求項１〜３のいずれか一つに記載の配管貫通部の配置構造。
【請求項５】
建物における配管貫通部の配置構造であって、
柱及び梁によって囲まれる躯体でない壁領域が複数存在し、
前記壁領域には、壁ユニットとサッシ窓とが設けられ、
前記配管貫通部は、前記壁ユニット内に設けられ、
前記壁ユニットの室内側に、スラブ床と天井材との空間及びスラブ床と床材との間の空間に通じる配管配線スペースを形成する配管配線スペース壁材が取り付けられ、前記配管配線スペースが、前記配管貫通部、スラブ床と天井材との空間、及び、スラブ床と床材との間の空間を互いに連通する連通空間となることを特徴とする配管貫通部の配置構造。
【請求項６】
前記壁領域は、前記建物の外部と接する外壁の領域であることを特徴とする請求項５に記載の配管貫通部の配置構造。
【請求項７】
請求項１〜６のいずれか一つに記載の配管貫通部の配置構造を有することを特徴とする建物。
【発明の詳細な説明】
【技術分野】
【０００１】
本発明は、建物における配管貫通部の施工作業を容易なものとし、建物の建築・設備計画上の自由度を高く維持できる配管貫通部の配置構造及び建物に関する。
【背景技術】
【０００２】
従来から、タワーマンションなどの共同住宅では、空調ダクトなどの各種の配管が天井などに配置されている。この配管の配置によっては、天井が低くなり、建築・設備計画上の自由度が低下してしまう。
【０００３】
このため、例えば特許文献１では、梁貫通ダクト方式に替えて、梁下にダクトスペースを確保する梁下ダクト方式を採用し、メインダクトを梁下に配置することで空調系統数を少なくしたものが記載されている。
【０００４】
また、特許文献２には、鉄骨梁に梁スリーブを配置し、この梁スリーブを介して複数本の排気ダクトが配管されるものが記載されている。
【０００５】
さらに、特許文献３には、鉄骨の梁材と天井材との間に、天井面に垂直な高さ方向で偏平化された梁下ダクトを設け、天井を高くできるようにしている。
【０００６】
また、特許文献４には、鉄筋コンクリート梁に貫通孔の設置を可能とするため、貫通スリーブなどの筒体の周囲に高強度コンクリート梁貫通孔補強材と、該筒体の周囲に斜補強筋を傾斜配置することによって、強度補強を行うものが記載されている。
【先行技術文献】
【特許文献】
【０００７】
【特許文献１】特開２００４−７６２９３号公報
【特許文献２】特開２００９−２７０７４４号公報
【特許文献３】特開２００２−１６８５０６号公報
【特許文献４】特開２００２−１４６９６８号公報
【発明の概要】
【発明が解決しようとする課題】
【０００８】
ところで、天井などに配置される配管は、給排気のための開口を設ける必要がある。共同住宅などでは、バルコニーなどが配置される窓側に給排気のための開口を設けることが好ましい。このため、鉄筋コンクリート造の共同住宅では、特許文献４に記載されているように、梁に貫通スリーブを配置し、この貫通スリーブを介して給排気を行っている。
【０００９】
ここで、梁に貫通スリーブを配置する場合、上述したように特許文献４では、強度補強を行っている。しかし、この強度補強は、コンクリート打設時に、貫通スリーブを配置する必要がある上に、貫通スリーブの周囲に、特殊な高強度コンクリート梁貫通孔補強材を用いるとともに、斜補強筋の構造を設ける必要があり、施工作業が複雑で、作業効率が悪く、施工ミスが発生しやすい。このような作業が多く必要な場合には極めて作業効率が悪くなる。
【００１０】
また、鉄筋コンクリート梁に貫通スリーブを設ける場合、貫通スリーブ径の３倍以上の梁成を確保する必要がある。さらに、貫通スリーブと梁主筋との位置関係から、納まり上、梁成を大きくする場合がある。すなわち、貫通スリーブを設ける場合、梁成が大きくなる場合があり、窓などの有効開口高さが低くなる。したがって、鉄筋コンクリート梁に貫通スリーブを設けると、建築・設備計画上の自由度が奪われてしまう。
【００１１】
本発明は、上記に鑑みてなされたものであって、建物における配管貫通部の施工作業を容易なものとし、建物の建築・設備計画上の自由度を高く維持できる配管貫通部の配置構造及び建物を提供することを目的とする。
【課題を解決するための手段】
【００１２】
上述した課題を解決し、目的を達成するために、本発明にかかる配管貫通部の配置構造は、共同住宅における配管貫通部の配置構造であって、柱及び梁によって囲まれる躯体でない壁領域が複数存在し、前記壁領域に前記配管貫通部を設けたことを特徴とする。
【００１３】
また、本発明にかかる配管貫通部の配置構造は、上記の発明において、前記壁領域は、前記共同住宅の外部と接する外壁の領域であり、前記壁領域には、壁ユニットとサッシ窓とが設けられ、前記配管貫通部は、前記壁ユニット内に設けられることを特徴とする。
【００１４】
また、本発明にかかる配管貫通部の配置構造は、上記の発明において、前記壁ユニットは、複数、かつ、同一形状であり、各壁ユニットの幅の総計は、前記サッシ窓の幅の整数倍であることを特徴とする。
【００１５】
また、本発明にかかる配管貫通部の配置構造は、上記の発明において、前記壁ユニットの室内側に配管配線スペースを形成する配管配線スペース壁材が取り付けられることを特徴とする。
【００１６】
また、本発明にかかる配管貫通部の配置構造は、上記の発明において、前記壁ユニットの一側面は、室内壁の窓側側面、柱、あるいは隣接する壁ユニットの側面に沿って取り付けられることを特徴とする。
【００１７】
また、本発明にかかる配管貫通部の配置構造は、上記の発明において、建物における配管貫通部の配置構造であって、柱及び梁によって囲まれる躯体でない壁領域が複数存在し、前記壁領域に前記配管貫通部を設けたことを特徴とする。
【００１８】
また、本発明にかかる配管貫通部の配置構造は、上記の発明において、前記壁領域は、前記建物の外部と接する外壁の領域であり、前記壁領域には、壁ユニットとサッシ窓とが設けられ、前記配管貫通部は、前記壁ユニット内に設けられることを特徴とする。
【００１９】
また、本発明にかかる建物は、上述した配管貫通部の配管構造を有することを特徴とする。
【発明の効果】
【００２０】
本発明によれば、建物における配管貫通部の配置構造であって、柱及び梁によって囲まれる躯体でない壁領域が複数存在し、前記壁領域に前記配管貫通部を設けるようにしているので、配管貫通部の施工作業を容易なものとし、建物の建築・設備計画上の自由度を高く維持できる。
【図面の簡単な説明】
【００２１】
【図１】図１は、本実施の形態における配管貫通部の配置構造を有した共同住宅の一部を示す正面図である。
【図２】図２は、図１に示した共同住宅のＡ−Ａ線断面図である。
【図３】図３は、図１に示したＢ−Ｂ線断面図である。
【図４】図４は、図３に対応した従来の共同住宅の断面図である。
【図５】図５は、図１に示した共同住宅と従来の共同住宅とを比較した図である。
【発明を実施するための形態】
【００２２】
以下、添付図面を参照して本発明を実施するための形態について説明する。
【００２３】
図１は、本実施の形態における配管貫通部の配置構造を有した共同住宅の一部を示す正面図である。また、図２は、図１に示した共同住宅のＡ−Ａ線断面図である。さらに、図３は、図１に示したＢ−Ｂ線断面図である。図１〜図３に示した共同住宅１の一部は、タワーマンションなどの、所定階の一部を示したものである。共同住宅１は、鉄筋コンクリート造の柱２と梁３とを躯体としている。ここで躯体とは、建物の主要な構造体または骨組みのことであり、建物の構造強度にかかわる部分である。なお、タワーマンションなどの共同住宅１は、外周側の柱２及び梁３の強度を大きくした耐震構造を採用している。
【００２４】
本実施の形態では、柱２及び梁３に囲まれて、共同住宅１の外部と接する屋外の壁領域４に配管貫通部１１〜２１が設けられる。屋外とは、建物の外壁やベランダのように、常時外気に面し、換気が十分に行われるような場所である。壁領域４には、壁領域４を鉛直方向に分割した同一形状のサッシ窓５（５ａ〜５ｆ）と、壁領域４を鉛直方向に分割した同一形状の壁ユニット６（６ａ〜６ｄ）とが重複しないで設けられる。各壁ユニット６ａ〜６ｄの水平方向の幅（Ｗ／２）は、各サッシ窓５ａ〜５ｆの水平方向の幅Ｗの半分である。すなわち、壁ユニット６の水平方向の幅の総計（Ｗ／２×４＝２Ｗ）は、サッシ窓５の水平方向の幅Ｗの整数倍となっている。これにより、壁領域４に対する壁ユニット６の配置は、サッシ窓５と同様に自由度を持たせることができる。なお、サッシ窓５と壁ユニット６の鉛直方向の高さは、同じである。対象とする壁領域４には躯体となるものはなく、壁領域４は躯体ではない。
【００２５】
なお、壁ユニット６やサッシ窓５の形状は、同一であることが好ましいが、同一でなくてもよい。また、各壁ユニット６や各サッシ窓５の形状も同一でなくてもよい。しかし、複数の壁領域４に対して、各壁領域４に配置する壁ユニット６やサッシ窓５の形状が同一であることが好ましく、少なくとも壁ユニット６は同一であることが好ましい。さらに、上述した壁領域４は、共同住宅１の外部と接する外壁を一例として説明しているが、これに限らず、共同住宅１内の換気が十分に行われるような場所に面する内壁であってもよい。
【００２６】
壁ユニット６には、上述した配管貫通部１１〜２１が形成される。壁ユニット６は、配管貫通部１１〜２１の貫通孔の形成を可能とする貫通孔形成領域Ｅ１０を有する。したがって、配管貫通部１１〜２１は、貫通孔形成領域Ｅ１０内に形成される。配管貫通部１１は、外気を取り入れる外気貫通部である。配管貫通部１２，１７，１９は、給気貫通部である。配管貫通部１３，１５，１８，２１は、バルコニー床８に設けられる空調の室外機１０１〜１０４の配管などを貫通させる空調用貫通部である。配管貫通部１４，１６は、排気貫通部である。配管貫通部２０は、バルコニー床８に設けられる給湯機１０５の給排配管を貫通させる給湯用貫通部である。
【００２７】
図２に示すように、配管貫通部１１，１２，１４，１６，１７，１９には、室外側にそれぞれダクトキャップ１１ａ，１２ａ，１４ａ，１６ａ，１７ａ，１９ａが取り付けられる。また、図２及び図３に示すように、壁ユニット６の室内９（９ａ〜９ｃ）側には、配管配線スペース壁材３２（３２ａ〜３２ｃ）によって配管配線スペースＥ１〜Ｅ３が形成される。配管配線スペースＥ１〜Ｅ３は、配管１０が配置されるスラブ床３０と天井材３１との空間、及びスラブ床３０と床材３３との間の空間にも通じている。なお、配管配線スペースＥ１〜Ｅ３には、配管１０のみならず、電気配線等も収容される。
【００２８】
また、壁ユニット６ａ，６ｄの一側面は、柱２の側面に沿って取り付けられる。さらに、壁ユニット６ｃの一側面は、室内壁３４の窓側側面に沿って取り付けられる。また、壁ユニット６ｂの一側面は、壁ユニット６ｃに隣接配置され、壁ユニット６ｃの側面に沿って取り付けられる。
【００２９】
ここで、壁ユニット６と配管配線スペース壁材３２とで形成される配管配線スペースＥ１〜Ｅ３は、壁ユニット６の幅をもつ鉛直方向のみに規制され、居住空間への影響が少なく、しかも、サッシ窓５の開口高さ寸法を規制しないため、設計の自由度が損なわれない。
【００３０】
ところで、図４は、図３に対応した従来の共同住宅の断面図である。図４では、梁３に貫通スリーブ１０ａを介して配管貫通部を形成しており、この貫通スリーブ１０ａの存在によって梁成が増した梁３´となっている。この結果、壁領域４の開口高さ寸法は小さくなる。
【００３１】
本実施の形態では、図５に示したように、配管貫通部を形成する貫通スリーブを梁３に配置せず、壁領域４の壁ユニット６内に配管貫通部１１〜２１を形成して、梁成を大きくしないようにしているので、壁領域４の開口高さを小さくする必要がない。図５では、梁成の幅ｈが、従来の梁成の幅ｈ´から幅Δｈだけ小さくなっている。すなわち、壁領域４の開口高さがΔｈだけ大きくなっている。また、壁領域４の開口高さ方向幅を、従来の貫通スリーブ１０ａを設けない場合と同じにすることができるので、居住環境も良好なものとなる。さらに、躯体である梁３が小さくなることによる軽量化に伴い、コンクリート量を低減することができるとともに、建物全体の重量を削減できることから、柱２、基礎、杭などの必要な強度を低減する相乗効果を有する。
【００３２】
また、壁ユニット６は、構造躯体ではないため単に貫通孔を設けるのみでよく、貫通スリーブを設ける場合でも斜補強筋などの補強構造を設ける必要もなく、配管貫通部１１〜２１の形成が容易となる。さらに、壁領域４の任意の位置に壁ユニット６を設けるとともに、壁ユニット６の室内側に配管配線スペースＥ１〜Ｅ３を設けることによって、配管及び配線の設計の自由度が増すことになる。特に、外壁の変更などの大規模なリノベーションなどの改修工事も容易に対応することができる。
【００３３】
さらに、梁３に貫通スリーブを配置するための施工作業が不要となり、壁ユニット６は、ユニットとして共通化されているため、配管貫通部の構成のコストダウンを図ることができる。
【００３４】
なお、上述した実施の形態では鉄筋コンクリート造の共同住宅を一例と示したが、この鉄筋コンクリート造の場合が、配管貫通部を形成する際に最も大きな効果を奏する。もちろん、その他、鉄骨造や鉄骨鉄筋コンクリート造などの構造に対しても、本実施の形態における配管貫通部の配管構造を適用することができる。
【００３５】
また、上述した配管貫通部は、共同住宅を含む建物であれば適用される。すなわち、建物の全てが共同住宅であってもよいし、建物の一部が共同住宅で他の部分が商業施設や事務所などであってもよい。さらに、上述した配管貫通部は、建物全般に適用することもできる。すなわち、上述した共同住宅は建物の一例として示したものであり、配管貫通部は、病院、ホテル、事務所などの建物にも適用される。
【符号の説明】
【００３６】
１  共同住宅
２  柱
３  梁
４  窓領域
５，５ａ〜５ｆ  サッシ窓
６，６ａ〜６ｄ  壁ユニット
８  バルコニー床
９，９ａ〜９ｃ  室内
１０  配管
１０ａ  貫通スリーブ
１１  外気貫通部
１１ａ，１２ａ，１４ａ，１６ａ，１７ａ，１９ａ  ダクトキャップ
１２，１７，１９  給気貫通部
１３，１５，１８，２１  空調用貫通部
１４，１６  排気貫通部
２０  給湯用貫通部
３０  スラブ床
３１  天井材
３２，３２ａ〜３２ｃ  配管配線スペース壁材
３３  床材
３４  室内壁
１０１〜１０４  室外機
１０５  給湯機
Ｅ１〜Ｅ３  配管配線スペース
Ｅ１０  貫通孔形成領域
【図１】
0006703371.tif 000002
【図２】
0006703371.tif 000003
【図３】
0006703371.tif 000004
【図４】
0006703371.tif 000005
【図５】
0006703371.tif 000006